(57)【要約】【課題】来訪者が誤って目的の部屋に行く経路とは別の経路に進んだ場合に、正しい経路に来訪者を戻す案内を行うことができる建屋内案内システムの提供。【解決手段】本発明に係る建屋内案内システムは、例えばセキュリティを重視するデータセンターに適用され、来訪者に装着され来訪者の目的の部屋であるＨ号室を特定するハンズフリータグ５と、Ｈ号室を含めた各部屋に対応して設けられハンズフリータグ５の情報を読み取るハンズフリーリーダ３Ａ，３Ｂ〜３Ｚを含む読み取り部と、来訪者をＨ号室まで導くために必要な情報を記憶する記憶装置１２と、来訪者をＨ号室まで導く際の進行方向を、誤って進んだ場合も含めて正しくガイドする音声出力装置４Ａ，４Ｂ〜４Ｚ、及び音声アナウンス装置１５と、読み取り部が読み取ったＨ号室と記憶装置１２に記憶された情報とに基づいて、音声アナウンス装置１５を制御する制御装置１１とを備えている。【選択図】図１
2017097721.tif 000002
【特許請求の範囲】
【請求項１】
各部屋が電気錠で制御される建屋内において来訪者を目的の部屋まで自動的に案内する建屋内案内システムであって、
前記来訪者に装着され、前記来訪者の前記目的の部屋を特定する来訪者デバイスと、
前記目的の部屋を含めた各部屋のそれぞれに対応して設けられ、前記来訪者デバイスで特定された前記目的の部屋を読み取る読み取り部と、
前記来訪者を前記目的の部屋まで導くために必要な情報を記憶する記憶装置と、
前記来訪者を前記目的の部屋まで導く際の進行方向を、前記来訪者が進行方向を誤った場合も含めて正しくガイドするガイドデバイスと、
前記読み取り部が読み取った前記目的の部屋と前記記憶装置に記憶された情報とに基づいて、前記ガイドデバイスを制御する制御装置とを備えたことを特徴とする建屋内案内システム。
【請求項２】
請求項１に記載の建屋内案内システムにおいて、
前記記憶装置は、前記来訪者を前記目的の部屋まで導くために必要な情報として、前記来訪者の次に進むべき経路と、経路を戻ることも含めた進行方向とを記憶することを特徴とする建屋内案内システム。
【請求項３】
請求項２に記載の建屋内案内システムにおいて、
前記読み取り部、前記記憶装置、前記ガイドデバイス、及び前記制御装置を含む端末コントローラと、
インターネットを介して前記端末コントローラに接続され、前記記憶装置に記憶される情報を書き換え可能なデータ設定端末とを備えたことを特徴とする建屋内案内システム。
【請求項４】
請求項３に記載の建屋内案内システムにおいて、
前記端末コントローラに含まれ、前記電気錠の解錠及び施錠を制御する電気錠制御装置を備えたことを特徴とする建屋内案内システム。
【請求項５】
請求項４に記載の建屋内案内システムにおいて、
前記ガイドデバイスは、複数の音声案内が設定された音声アナウンス装置と、前記音声アナウンス装置で設定された複数の音声案内のうちのいずれか１つを出力する音声出力装置とから成ることを特徴とする建屋内案内システム。
【発明の詳細な説明】
【技術分野】
【０００１】
本発明は、セキュリティが重視された建物内の目的の部屋まで来訪者を自動的に案内する建屋内案内システムに関する。
【背景技術】
【０００２】
この種の技術が特許文献１，２に開示されている。特許文献１には、個人を特定する通行カードを読み取るカード読み取り装置と、目的の部屋への案内を表示する表示装置と、カード読み取り装置における照合の結果により、部屋の電気錠を制御する端末コントローラとを備えた構成の出入管理装置が開示されている。
【０００３】
特許文献２には、訪問者が受け取ったルート情報の書き込みがなされたＩＣカードから成る入館証をスキャンするカメラ及びセンサを備え、これらのカメラ及びセンサを目的部門までの間に位置する中間ゲートに配置した構成の入館管理システムが開示されている。
【先行技術文献】
【特許文献】
【０００４】
【特許文献１】特開２００５−１７３９５９号公報
【特許文献２】特開２００７−１４１１４６号公報
【発明の概要】
【発明が解決しようとする課題】
【０００５】
特許文献１，２に開示された従来技術では、複雑な分岐経路を有する建屋内において、来訪者が誤って目的の部屋に行く経路とは別の経路に進んだ場合に、正しい経路に来訪者を戻す案内については考慮がなされていない。
【０００６】
上記課題を解決するために本発明の目的は、来訪者が誤って目的の部屋に行く経路とは別の経路に進んだ場合に、正しい経路に来訪者を戻す案内を行うことができる建屋内案内システムを提供することにある。
【課題を解決するための手段】
【０００７】
上記課題を解決するために、本発明に係る建屋内案内システムは、各部屋が電気錠で制御される建屋内において来訪者を目的の部屋まで自動的に案内する建屋内案内システムであって、前記来訪者に装着され、前記来訪者の前記目的の部屋を特定する来訪者デバイスと、前記目的の部屋を含めた各部屋のそれぞれに対応して設けられ、前記来訪者デバイスで特定された前記目的の部屋を読み取る読み取り部と、前記来訪者を前記目的の部屋まで導くために必要な情報を記憶する記憶装置と、前記来訪者を前記目的の部屋まで導く際の進行方向を、前記来訪者が進行方向を誤った場合も含めて正しくガイドするガイドデバイスと、前記読み取り部が読み取った前記目的の部屋と前記記憶装置に記憶された情報とに基づいて、前記ガイドデバイスを制御する制御装置とを備えたことを特徴としている。
【発明の効果】
【０００８】
本発明に係る建屋内案内システムによれば、来訪者が誤って目的の部屋に行く経路とは別の経路に進んだ場合に、正しい経路に来訪者を戻す案内を行うことができる。すなわち本発明は、セキュリティが重視された建屋内にあって、来訪者を目的の部屋まで確実に案内することができ、従来よりも精度の高い来訪者に対する案内を実現させることができる。
【図面の簡単な説明】
【０００９】
【図１】本発明に係る建屋内案内システムの一実施形態の構成を示す図である。
【図２】本実施形態に備えられる記憶装置に記憶される目的の部屋への入退に関係する情報の一例を示す図である。
【図３】本実施形態に備えられる記憶装置に記憶される進行方向欄の数字と進行方向との関係、及び数字と音声アナウンス装置で設定される音声案内との関係を示す図である。
【図４】来訪者が目的の部屋に至るまでの本実施形態における処理動作を説明する図である。
【発明を実施するための形態】
【００１０】
以下、本発明に係る建屋内案内システムの実施の形態を図面に基づいて説明する。
【００１１】
本実施形態に係る建屋内案内システムが適用される建物は、例えばデータセンターから成る。このデータセンターは、メンテナンスのエンジニアが一人で目的の部屋まで行くことがあり、目的の部屋には人が常駐せず、しかも各部屋が図１に示す電気錠２Ａ，２Ｂ〜２Ｚで制御され、セキュリティが重視される建屋である。本実施形態は、このデータセンター内においてエンジニア等の来訪者を目的の部屋まで自動的に案内する建屋内案内システムである。
【００１２】
図１に示すように、本実施形態は、来訪者に装着され、来訪者の目的の部屋を特定する来訪者デバイス、例えばハンズフリータグ５と、目的の部屋を含む各部屋の例えば扉付近に設けられ、ハンズフリータグ５によって特定された目的の部屋を感知するハンズフリーリーダ３Ａ，３Ｂ〜３Ｚを含む読み取り部とを備えている。読み取り部は、ハンズフリーリーダ３Ａ，３Ｂ〜３Ｚから送信された信号に基づいて来訪者の目的の部屋を認証するハンズフリー認証装置１４も含んでいる。なお、来訪者はデータセンターの受付けで、目的の部屋に行く許可を受け、ハンズフリータグ５を受け取る。このとき受付けで、来訪者のハンズフリータグ５を特定するタグ番号例えば「０００１」と、目的の部屋例えば「Ｈ号室」とを関連付ける処理がなされる。
【００１３】
ここで、ハンズフリーリーダ３Ａ，３Ｂ〜３Ｚ、及びハンズフリー認証装置１４を含む読み取り部の動作について説明する。ハンズフリー方式では、ハンズフリーリーダ３Ａ，３Ｂ〜３Ｚから最大１．５ｍ程度の範囲内にハンズフリータグ５を所持する来訪者が存在すると、ハンズフリーリーダ３Ａ，３Ｂ〜３Ｚは、非接触の状態で来訪者のハンズフリータグ５のタグ情報である目的の部屋であるＨ号室を感知し、ハンズフリーリーダ３Ａ，３Ｂ〜３Ｚから出力された信号によってハンズフリー認証装置１４は、来訪者の目的の部屋であるＨ号室を認証する。
【００１４】
また、本実施形態は、来訪者を目的の部屋まで導くために必要な情報を記憶する記憶装置１２を備えている。図２に示すように、この記憶装置１２には例えば、来訪者のタグ番号「０００１」が記憶されるタグ番号欄８ａと、来訪者のデータセンター内の現在歩いていると推定される経路Ａ〜Ｈが記憶される現在経路欄８ｂと、データセンター内の各部屋の入退許可が記憶された入退許可欄８ｃとを含んでいる。例えば今は、経路Ｈに存在するＨ号室のみの入退許可が「○」として記憶され、Ａ号室〜Ｇ号室に対しては入退不許可が「×」として記憶される。
【００１５】
また、記憶装置１２は、データセンター内の経路を歩いている来訪者が次に進むべき経路が記憶される次の経路欄８ｄと、到着経路、今は経路Ｈが記憶される到着経路欄８ｅと、データセンター内の来訪者の進むべき進行方向を示す後述の数字「０，１，２，３，４」が記憶された進行方向欄８ｆとを含んでいる。
【００１６】
また、本実施形態は、来訪者を目的の部屋まで導く際の進行方向を、来訪者が進行方向を誤った場合も含めて正しくガイドするガイドデバイスを備えている。
【００１７】
ガイドデバイスは、複数の音声案内例えば図３に示す「目的の場所です」「前に進んで下さい」「戻って下さい」「左へ進んで下さい」「右へ進んで下さい」の５つの音声案内が設定された音声アナウンス装置１５と、音声アナウンス装置１５で設定された音声案内のうちのいずれか１つを出力するスピーカーすなわち音声出力装置４Ａ，４Ｂ〜４Ｚとを含んでいる。音声出力装置４Ａ，４Ｂ〜４Ｚは、各部屋の例えば扉付近に設けてある。
【００１８】
また、本実施形態は、図１に示すように、電気錠２Ａ，２Ｂ〜２Ｚの解錠及び施錠を制御する電気錠制御装置１３と、読み取り部を構成する前述のハンズフリー認証装置１４と、ガイドデバイスを構成する前述の音声アナウンス装置１５とを制御する制御装置１１を備えている。
【００１９】
前述した記憶装置１２、電気錠制御装置１３、ハンズフリー認証装置１４、音声アナウンス装置１５、通信装置１６、及び制御装置１１は、端末コントローラ１内に含まれている。この端末コントローラ１は、例えばデータセンターの建屋を構成する壁部に設置した配電盤の近傍に取り付けてある。
【００２０】
また、本実施形態は、インターネット７を介して端末コントローラ１の通信装置１６に接続されたデータ設定端末６を備えている。記憶装置１２に記憶された情報は、通信装置１６を介して制御装置１１に入力されたデータ設定端末６の情報によって書き換え可能になっている。
【００２１】
なお、図２，３に示すように、記憶装置１２の進行方向欄８ｆに記憶された数字「０」は、音声アナウンス装置１５で設定された前述の音声案内「目的の場所です」に対応する。同様に、数字「１」は音声案内「前に進んで下さい」に対応し、数字「２」は音声案内「戻って下さい」に対応し、数字３は「左へ進んで下さい」に対応し、数字４は「右に進んで下さい」に対応する。
【００２２】
次に、来訪者が目的の部屋であるＨ号室に着くまでの本実施形態における処理動作を、図１〜４に基づいて説明する。
【００２３】
データセンターの受付けでＨ号室入退用のハンズフリータグ５を受け取った来訪者が図４に示す出発位置から経路Ａを進み、Ａ号室に対し１．５ｍ以内に近づくと、ハンズフリータグ５の情報である「Ｈ号室」を感知したハンズフリーリーダ３Ａを介して、ハンズフリー認証装置１４は来訪者の目的とする部屋であるＨ号室を認証する。これに伴い制御装置１１は、図２に示す記憶装置１２の記憶内容に応じて、Ａ号室は入退を不許可とし、次の経路をＢとし、進行方向を数字の「３」とする処理を行う。
【００２４】
Ａ号室の入退を不許可とする信号が制御装置１１から電気錠制御装置１３に出力されると、電気錠制御装置１３の制御によりＡ号室の電気錠２Ａは施錠状態に維持される。
【００２５】
また、制御装置１１から数字「３」に対応する信号が音声アナウンス装置１５に出力されると、音声アナウンス装置１５に設定された数字「３」に対応する「左へ進んで下さい」の音声案内に対応する信号が音声出力装置４Ａに送信される。したがって、このとき来訪者に対し「左へ進んで下さい」という音声案内が発せられる。その音声案内に従って来訪者は経路を進む。
【００２６】
ここで、来訪者が経路Ｂに進むべきところを誤って経路Ｅに進み、Ｅ号室に対し１．５ｍ以内に近づくと、前述と同様の作用によりＥ号室は施錠を維持し、音声出力装置から進行方向「２」に対応する「戻って下さい」という音声案内が発せられる。
【００２７】
このとき、来訪者が経路Ｅを戻ったものの、経路Ｂに進むべきところを再び誤って経路Ｆに進み、Ｆ号室に対し１．５ｍ以内に近づくと、Ｆ号室は施錠を維持し、音声出力装置から進行方向「２」に対応する「戻って下さい」という音声案内が発せられる。
【００２８】
その音声案内に従って来訪者が経路Ｆを戻って正しい経路Ｂに進み、Ｂ号室に対し１．５ｍ以内に近づくと、Ｂ号室は施錠を維持し、音声出力装置から進行方向「１」に対応する「前へ進んで下さい」という音声案内が発せられる。
【００２９】
その音声案内に従って来訪者が経路Ｇに進み、Ｇ号室に対し１．５ｍ以内に近づくと、Ｇ号室は施錠を維持し、音声出力装置から数字「４」に対応する「右へ進んで下さい」という音声案内が発せられる。
【００３０】
ここで、来訪者が誤って左の経路に進み、Ｃ号室に対し、１．５ｍ以内に近づくと、Ｃ号室は施錠を維持し、音声出力装置から数字「２」に対応する「戻って下さい」という音声案内が発せられる。
【００３１】
その音声案内に従って来訪者は経路Ｃを戻ったものの、経路Ｈに進むべきところを再び誤って経路Ｄに進み、Ｄ号室に対し１．５ｍ以内に近づくと、Ｄ号室は施錠を維持し、音声出力装置から進行方向「２」に対応する「戻って下さい」という音声案内が発せられる。
【００３２】
この音声案内に従って来訪者は経路Ｄを戻り、経路Ｈに進み、Ｈ号室に対して１．５ｍ以内に近づくと、目的の部屋であるＨ号室は解錠し、来訪者は目的の部屋であるＨ号室に入退することができる。
【００３３】
以上のように本実施形態によれば、来訪者が誤って目的の部屋であるＨ号室に行く経路Ｈとは別の経路Ｅ，Ｆ，Ｃ，Ｄに進んだ場合でも来訪者を戻らせるように音声案内して正しい経路Ｈに導くことができる。すなわち本実施形態はセキュリティが重視されたデータセンター内にあって来訪者を確実に目的の部屋であるＨ号室まで案内することができ、精度の高い来訪者に対する案内を実現させることができる。
【００３４】
なお、上記実施形態にあっては、来訪者をＨ号室まで導く際の進行方向をガイドするガイドデバイスを、音声アナウンス装置１５と音声出力装置４Ａ，４Ｂ〜４Ｚとによって構成したが、本発明は、ガイドデバイスをこのように構成することには限定されない。例えばガイドデバイスを発光装置によって構成し、この発光装置で経路上に正しい進行方向を示す矢印を形成する点灯を実施させてもよく、また、進行方向が誤っているときには、その経路の進行を阻止する点灯を実施させるようにしてもよい。
【００３５】
またガイドデバイスを、来訪者に受付けで渡される携帯によって構成し、携帯の画面にＨ号室までの経路地図と、Ｈ号室に至るまでの矢印を経路上に表示させて進行方向を音声案内し、進行方向が誤っているときには、携帯の画面に進行が誤っている旨を表示させて進行方向が誤っている旨を音声案内するように構成してもよい。このように構成したものでは、音声出力装置が１つで済み、より簡単な構成とすることができる。
【００３６】
また、上記実施形態にあっては、読み取り部を１．５ｍ以内の来訪者のハンズフリータグ５を非接触で感知するハンズフリーリーダ３Ａ，３Ｂ〜３Ｚを含む構成にしたが、この読み取り部を例えば接触感知式のタグの情報を読み取るタグリーダによって構成してもよい。
【００３７】
また、上記実施形態にあっては、本実施形態をデータセンターに適用させたが、セキュリティが重視され各部屋に電気錠が設けられたオフィスビルに適用させてもよい。
【００３８】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３９】
１・・端末コントローラ、２Ａ，２Ｂ〜２Ｚ・・電気錠、３Ａ，３Ｂ〜３Ｚ・・ハンズフリーリーダ（読み取り部）、４Ａ，４Ｂ〜４Ｚ・・音声出力装置（ガイドデバイス）、５・・ハンズフリータグ（来訪者デバイス）、６・・データ設定端末、７・・インターネット、８ａ・・タグ番号欄、８ｂ・・現在経路欄、８ｃ・・入退許可欄、８ｄ・・次の経路欄、８ｅ・・到着経路欄、８ｄ・・進行方向欄、１１・・制御装置、１２・・記憶装置、１３・・電気錠制御装置、１４・・ハンズフリー認証装置（読み取り部）、１５・・音声アナウンス装置（ガイドデバイス）、１６・・通信装置
【図１】
2017097721.tif 000003
【図２】
2017097721.tif 000004
【図３】
2017097721.tif 000005
【図４】
2017097721.tif 000006